(57)【要約】【課題】最終処分場において無機廃棄物を含む盛土材を埋め立てた状態を再現することができるテストピースの製造システムおよび製造方法を提供する。【解決手段】テストピースの製造システムは、トラックＴｒの荷台Ｚに設置されるシステムであって、材料が投入される型枠１と、型枠１内に投入された材料を衝撃圧縮するエアープレス装置１００と、型枠１内に投入される材料を混練して製造する混練装置２００と、エアープレス装置１００の作動用のエアーコンプレッサー３００（駆動用のエンジン３１０を含む）と、これらに付帯して用いられる付帯設備である圧縮具４１０、漏斗４２０および材料格納容器４３０などを載置収納する収納スペース４００とを備える。【選択図】図１
2014059178.tif 000002
【特許請求の範囲】
【請求項１】
無機廃棄物を含む盛土材を埋め立てた状態を再現するテストピースの製造システムであって、
前記盛土材および該盛土材を被覆する被覆材をそれぞれ混練して製造する混練装置と、
着脱自在な上蓋を有する有底筒状の型枠と、
前記型枠が固定可能な支持台を有し、該型枠内に段階的に投入された前記被覆材および盛土材を各段階において衝撃圧縮するエアープレス装置と、
前記エアープレス装置を作動させるためのエアーコンプレッサーと、
前記混練装置と前記型枠と前記エアープレス装置とに付帯して使用される付帯設備を収納する収納スペースと
を備え、
前記混練装置と前記エアーコンプレッサーとが前記エアープレス装置を中心に左右方向に隣接して配置されると共に、前記収納スペースが前記エアープレス装置に対して前後方向に該エアープレス装置との間に作業スペースを空けて配置されることを特徴とするテストピースの製造システム。
【請求項２】
請求項１記載のテストピースの製造システムが貨物自動車の荷台に当該製造システムの左右方向が該貨物自動車の前後方向となるように設置されていることを特徴とするテストピースの製造システム。
【請求項３】
無機廃棄物を含む盛土材を埋め立てた状態を再現するテストピースの製造方法であって、
有底筒状の型枠内の底部に被覆材を投入し該被覆材を圧縮することにより、該被覆材を締め固めた下部キャッピング層を再現する第１工程と、
前記第１工程により前記下部キャッピング層が再現された前記被覆材の上に、前記盛土材を積層させ該盛土材を圧縮することにより、該盛土材の圧密成形状態を再現する第２工程と、
前記第２工程により圧密成形状態が再現された前記盛土材の上に、前記被覆材を投入し該被覆材を圧縮することにより、該被覆材を締め固めた上部キャッピング層を再現する第３工程と、
前記第３工程により上部キャッピング層が再現された前記被覆材の上部を上蓋で固定する第４工程と
を備えることを特徴とするテストピースの製造方法。
【請求項４】
請求項３記載のテストピースの製造方法において、
前記第１工程に先立って、前記型枠の内面に剥離用の樹脂材を配置する前処理工程を備えることを特徴とするテストピースの製造方法。
【請求項５】
請求項３または４記載のテストピースの製造方法において、
前記第４工程により前記上部キャッピング層が再現された前記被覆材を前記上蓋で固定させた状態で一定期間養生させた後、該上蓋および前記型枠を取り外す後処理工程を備えることを特徴とするテストピースの製造方法。
【発明の詳細な説明】
【技術分野】
【０００１】
本発明は、無機廃棄物を含む盛土材を埋め立てた状態を再現するテストピースの製造システムおよびテストピースの製造方法に関する。
【背景技術】
【０００２】
従来、この種のテストピースとしては、下記特許文献１および特許文献２に示すように、例えば石綿などの廃棄物とセメントに水と添加剤を加えて練り上げたＣＳＧ（Cement Sand and Gravel）材料を型枠に充填して成型させ、成型物の圧縮強度などを評価管理するＣＧＳ材料のテストピースを作製する方法が知られている。
【先行技術文献】
【特許文献】
【０００３】
【特許文献１】特開２００８−２００５８６号公報
【特許文献２】特開２００５−１７１７１号公報
【発明の概要】
【発明が解決しようとする課題】
【０００４】
しかしながら、かかる従来のテストピースは、セメントを含むＣＳＧの評価に留まるものであり、最終処分場において無機廃棄物を埋め立てた状態を再現することは困難であった。
【０００５】
そこで、本発明は、最終処分場において無機廃棄物を含む盛土材を埋め立てた状態を簡易に再現することができるテストピースの製造システムおよびテストピースの製造方法を提供することを目的とする。
【課題を解決するための手段】
【０００６】
第１発明のテストピースの製造システムは、無機廃棄物を含む盛土材を埋め立てた状態を再現するテストピースの製造システムであって、
前記盛土材および該盛土材を被覆する被覆材をそれぞれ混練して製造する混練装置と、
着脱自在な上蓋を有する有底筒状の型枠と、
前記型枠が固定可能な支持台を有し、該型枠内に段階的に投入された前記被覆材および盛土材を各段階において衝撃圧縮するエアープレス装置と、
前記エアープレス装置を作動させるためのエアーコンプレッサーと、
前記混練装置と前記型枠と前記エアープレス装置とに付帯して使用される付帯設備を収納する収納スペースと
を備え、
前記混練装置と前記エアーコンプレッサーとが前記エアープレス装置を中心に左右方向に隣接して配置されると共に、前記収納スペースが前記エアープレス装置に対して前後方向に該エアープレス装置との間に作業スペースを空けて配置されることを特徴とする。
【０００７】
かかる第１発明のテストピースの製造システムによれば、混練装置によりテストピースの材料となる盛土材および被覆材がそれぞれ混練して製造される。製造された盛土材および被覆材は型枠内に投入されるが、型枠はエアープレス装置の支持台に固定される。そのため、エアープレス装置の支持台を作業台として材料の投入作業を行うことができる。
【０００８】
型枠内には、被覆材、盛土材そして被覆材の順に段階的に材料が投入され、投入された材料はエアープレス装置により各段階で衝撃圧縮される。かかる衝撃圧縮により、最終処分場においてそれぞれの材料が打設された状態を再現することができる。
【０００９】
このとき、混練装置とエアーコンプレッサーとがエアープレス装置を中心に左右方向に隣接して配置されるため、混練装置で混練製造された材料を隣接するエアープレス装置の型枠内に投入し易くすることができる。さらに、エアーコンプレッサーを動作させてエアープレス装置に作動用のエアーを送る一連の動作が隣接位置で行い易く、エアープレス装置により型枠内に投入された材料を効率よく衝撃圧縮することができる。
【００１０】
加えて、混練装置と型枠とエアープレス装置とに付帯して使用される付帯設備を収納する収納スペースがエアープレス装置の前後方向に作業スペースを空けて配置されるため、作業者は、作業スペースにより混練装置から型枠内への材料の投入およびエアーコンプレッサーの動作などの作業動線を同じくして容易に行うことができると共に、これらの作業時に使用される付帯設備も容易に取り出しおよび収納することができる。
【００１１】
このように、第１発明のテストピースの製造システムによれば、最終処分場において無機廃棄物を含む盛土材を埋め立てた状態を簡易に再現することができる。
【００１２】
ここで、無機廃棄物は、生ごみや廃プラスチック等のような一般廃棄物の焼却灰であって、かかる焼却灰には有害物質や放射性物質が濃縮されたかたちで含まれる。
【００１３】
第２発明のテストピースの製造システムは、第１発明においてテストピースの製造システムが貨物自動車の荷台に当該製造システムの左右方向が該貨物自動車の前後方向となるように設置されていることを特徴とする。
【００１４】
かかる第２発明のテストピースの製造システムによれば、当該システムが貨物自動車の荷台に設置されているため、いずれの場所でも、最終処分場において無機廃棄物を含む盛土材を埋め立てた状態を簡易に再現することができる。
【００１５】
ここで、貨物自動車の荷台に当該システムを設置する場合には、荷台という限られたスペースであるため、作業動線が損なわれる虞があるが、前後方向に長い貨物自動車の荷台に、当該システムの左右方向を合わせることで、作業動線となる作業スペースを確保することができる。
【００１６】
このように、第２発明のテストピースの製造システムによれば、いずれの場所でも、最終処分場において無機廃棄物を含む盛土材を埋め立てた状態を簡易に再現することができる。
【００１７】
第３発明のテストピースの製造方法は、無機廃棄物を含む盛土材を埋め立てた状態を再現するテストピースの製造方法であって、
有底筒状の型枠内の底部に被覆材を投入し該被覆材を圧縮することにより、該被覆材を締め固めた下部キャッピング層を再現する第１工程と、
前記第１工程により前記下部キャッピング層が再現された前記被覆材の上に、前記盛土材を積層させ該盛土材を圧縮することにより、該盛土材の圧密成形状態を再現する第２工程と、
前記第２工程により圧密成形状態が再現された前記盛土材の上に、前記被覆材を投入し該被覆材を圧縮することにより、該被覆材を締め固めた上部キャッピング層を再現する第３工程と、
前記第３工程により上部キャッピング層が再現された前記被覆材の上部を上蓋で固定する第４工程と
を備えることを特徴とする。
【００１８】
かかる第３発明のテストピースの製造方法によれば、まず、第１工程では、枠内の底部に被覆材を投入しこれを圧縮することで、最終処分場において無機廃棄物を含む盛土材をシールドするキャッピング層のうち盛土材の下部に配置される下部キャッピング層が再現される。
【００１９】
次に、第２工程では、下部キャッピング層が再現された被覆材の上に、実際に最終処分場において埋め立てられる盛土材と同じものを積層させ、これを圧縮することにより、最終処分場において、盛土材が圧密成形された状態が再現される。
【００２０】
次に、第３工程では、圧密成形が再現された盛土材の上に被覆材を投入しこれを圧縮することで、最終処分場において盛土材をシールドするキャッピング層のうち盛土材の上部に配置される上部キャッピング層が再現される。
【００２１】
次に、第４工程では、上部キャッピング層が再現された被覆材の上部を上蓋で固定することで、最終処分場において膨張抑制用の重しが設置された状態が再現される。
【００２２】
これにより、製造されたテストピースは、最終処分場において無機廃棄物を含む盛土材を埋め立てた状態となっており、例えば、上蓋を外した状態では、最終処分場の地表面の状態を再現することできる。
【００２３】
このように、第３発明のテストピースの製造方法によれば、最終処分場において無機廃棄物を含む盛土材を埋め立てた状態を再現することができる。
【００２４】
第４発明のテストピースの製造方法は、第３発明において、
前記第１工程に先立って、前記型枠の内面に剥離用の樹脂材を配置する前処理工程を備えることを特徴とする。
【００２５】
かかる第４発明のテストピースの製造方法によれば、前処理工程により型枠の内面に剥離用の樹脂材が配置されているため、テストピースを製造した後に、（そのテストピースの溶出試験や廃棄を行うために、）型枠からテストピースを容易に分離することできる。
【００２６】
このように、第４発明のテストピースの製造方法によれば、テストピースの取り扱いを容易としつつ、最終処分場において無機廃棄物を含む盛土材を埋め立てた状態を再現することができる。
【００２７】
第５発明のテストピースの製造方法は、第３または第４発明において、
前記第４工程により前記上部キャッピング層が再現された前記被覆材を前記上蓋で固定させた状態で一定期間養生させた後、該上蓋および前記型枠を取り外す後処理工程を備えることを特徴とする。
【００２８】
かかる第５発明のテストピースの製造方法によれば、後処理工程により、最終処分場において一定の養生期間を経過した後の無機廃棄物を含む盛土材を埋め立てた状態を再現することができる。そのため、後処理工程を経て上蓋および型枠から取り外されたテストピースは、溶出試験などに用いることができる。
【００２９】
このように、第５発明のテストピースの製造方法によれば、最終処分場において無機廃棄物を含む盛土材を埋め立てた状態を再現することができ、当該無機廃棄物を最終処分場に埋め立てた場合の影響を評価することが可能となる。
【図面の簡単な説明】
【００３０】
【図１】本実施形態のテストピースの製造システムを示す平面図。
【図２】図１のテストピースの製造システムの構成を示す説明図。
【図３】本実施形態のテストピースの製造方法に用いられる部材を示す分解斜視図。
【図４】本実施形態のテストピースの製造方法の工程を示すフローチャート。
【図５】図３の部材を組み立てた状態を示す斜視図。
【図６】図５のＶＩ−ＶＩ線断面図。
【図７】図３の部材を用いてテストピースを製造する様子を示す説明図。
【発明を実施するための形態】
【００３１】
本発明の一実施形態としてのテストピースの製造システムについて説明する。
【００３２】
図１および図２に示すように、テストピースの製造システムは、貨物自動車であるトラックＴｒの荷台Ｚに設置されるシステムであって、材料が投入される型枠１（図３を参照して後述する）と、型枠１内に投入された材料を衝撃圧縮するエアープレス装置１００と、型枠１内に投入される材料を混練して製造する混練装置２００と、エアープレス装置１００の作動用のエアーコンプレッサー３００（駆動用のエンジン３１０を含む）と、これらに付帯して用いられる付帯設備である圧縮具４１０、漏斗４２０および材料格納容器４３０などを載置収納する収納スペース４００とを備える。
【００３３】
ここで、混練装置２００とエアーコンプレッサー３００とがエアープレス装置１００に対して左右方向に隣接して配置される。さらに収納スペース４００がエアープレス装置１００の前後方向に作業スペース５００を空けて配置される。
【００３４】
以上が本実施形態のテストピースの製造システムの全体構成である。
【００３５】
次に、各構成部材の詳細について説明する。
【００３６】
図３に示すように、テストピースを製造するためには、型枠１と、底面樹脂材２と、側面樹脂材３と、天面樹脂材４と、上蓋５とを備える型枠部材が用いられる。
【００３７】
型枠１は、有底筒状の形状であって、２つの鋼鉄製の半円筒体１Ａ，１Ｂを連結させることより構成される。２つの半円筒体１Ａ，１Ｂは、同一長さ、同一内径、同一肉厚（長さ３００ｍｍ、内径１１５．８ｍｍ、肉厚１２ｍｍ）の半円筒体であって、２つの半円筒体１Ａ，１Ｂを組み合わせて円筒形状となる位置で、互いの両端縁が連結される。
【００３８】
より具体的には、２つの半円筒体１Ａ，１Ｂは、両端縁に形成された鍔部１１Ａ，１１Ａおよび１１Ｂ，１１Ｂを各々対面させた状態で、鍔部１１Ａ，１１Ａおよび１１Ｂ，１１Ｂに形成された貫通孔１２にボルトおよびナットを用いることで連結される（図５参照）。
【００３９】
底面樹脂材２と側面樹脂材３と天面樹脂材４とは、型枠１および上蓋５の内面に配置される剥離用の樹脂材であって、本実施形態では、ポリカーボネイト樹脂が用いられる。
【００４０】
すなわち、底面樹脂材２は、型枠１の底面１３の形状に対応した円形のフィルムであって、側面樹脂材３は、型枠１の内側面１４を展開した長方形のフィルムを円筒状に丸めたものであり、天面樹脂材４は、上蓋５の底面の形状に対応した円形のフィルムとなっている。
【００４１】
上蓋５は、型枠１の上部を閉蓋する円盤状の形状であって、型枠１の外径よりも若干大な径となっている。
【００４２】
さらに、上蓋５には、その中心から直上にねじり棒５０が延設されている。ねじり棒５０には、その側面に雄螺子溝（図示省略）が形成されている。また、ねじり棒５０は、その上側の他端に水平方向に左右に延びるハンドル５１が連結されている。
【００４３】
また、上蓋５には、ねじり棒５０の雄螺子溝に螺合するナット部５２を挟むように屈曲した一対の支持片５３，５３が形成されており、支持片５３，５３の先端のフック部５４，５４が、型枠１の外側面に設けられた係合部１５，１５に係合可能となっている。
【００４４】
次に、図４〜図６を参照して、本実施形態のテストピースの製造方法について説明する。
【００４５】
図４に示すように、まず、被覆材および盛土材などの材料を製造する（図４／ＳＴＥＰ１０・・材料製造工程）。
【００４６】
かかる材料製造工程では、混練装置２００Ａを被覆材製造用として、セメントに砂と水などを加えて練り上げたセメント混練物を被覆材として製造する。また、混練装置２００Ｂを盛土材製造用として、無機廃棄物にセメントと水とを加えて練り上げて試験用の盛土材を製造する。
【００４７】
なお、かかる材料製造工程の具体的な作業において、混練装置２００Ａ,２００Ｂは、いずれも蓋部２１０を開けて内部にセメント等が投入され、蓋部２１０を閉じて一定時間混練した後、蓋部２１０を開けて製造された内容物が取り出される。そして、取り出された内容物は、材料格納容器４３０に移される。
【００４８】
ここで、無機廃棄物は、例えば、最終処分場のおいて埋め立てられる焼却灰であって、焼却灰の種類によって、盛土材は、放射性物質や毒性のある焼却灰を含まないＡ種盛土材と、放射性物質や毒性のある焼却灰であるＢ種盛土材とに分けられる。
【００４９】
次に、作業者は、予め２つの半円筒体１Ａ，１Ｂをボルトナットにより連結させて型枠１を組み立てた上で、型枠１の内面に剥離用の樹脂材を配置する（図４／ＳＴＥＰ２０・・前処理工程）。
【００５０】
かかる前処理工程では、型枠１の底面１３に底面樹脂材２を載置し、型枠１の内側面１４に側面樹脂材３を円筒状に丸めて配置する。この状態を図５（ａ）に示す。
【００５１】
この図５（ａ）の状態において、作業者は、型枠１内に被覆材を投入しこれを圧縮する（図４／ＳＴＥＰ２１・・第１工程）。
【００５２】
かかる第１工程では、図６に模式的に示すように、型枠１内の底部に被覆材Ｘ１が投入され、これが衝撃圧縮されることにより、被覆材Ｘ１を締め固めた下部キャッピング層が再現される。
【００５３】
被覆材Ｘ１は、材料格納容器４３０から、漏斗４２０を用いることで漏れなく型枠１内へ投入される（以下、材料の型枠１内への投入は、同様に、材料格納容器４３０から漏斗４２０を用いることにより行われる）。
【００５４】
被覆材Ｘ１の圧縮には、エアープレス装置１００が用いられる。そのため、少なくとも第１工程〜第４工程は、エアープレス装置１００の支持台１１０に型枠１を固定することにより行われる。
【００５５】
エアープレス装置１００は、エアーコンプレッサー３００から供給チューブ３２０を介して供給される圧縮空気により、ハンドル１２０の上下動に対応して加圧部１３０が上下動する。このとき、加圧部１３０のストロークには限界があるため、型枠１の底部の被覆材Ｘ１を圧縮するためには、ピストン形状の圧縮具４１０のうち、図７（ａ）に示すように、ストローク長い圧縮具４１０Ａが用いられる。なお、圧縮具４１０Ａ〜４１０Ｃは、いずれも先端のピストン部分が同一（外径１０６ｍｍ）であって、ストローク長が異なっている。
【００５６】
ここで、エアープレス装置１００を用いることにより、加圧部１３０が動作速度が速く、継続的な加圧を行う場合と異なり、打ち付けるような衝撃的な加圧が可能となる。これにより、被覆材Ｘ１に対して、１回当たり２５ｔの圧力を複数回に亘って加圧することができ、最終処分場において下部キャッピング層として打設された状態を再現することができる。
【００５７】
なお、ここで再現される下部キャッピング層は、実際の最終処分場では、複数階層化されているため、１層下側の階層の上部キャッピング層に相当するものである。
【００５８】
次に、作業者は、下部キャッピング層が再現された被覆材Ｘ１の上に、予めＳＴＥＰ１０で製造しておいた盛土材を積層させ、該盛土材を圧縮する（図４／ＳＴＥＰ２２・・第２工程）。
【００５９】
かかる第２工程では、図６に模式的に示すように、型枠１内で下部キャッピング層が再現された被覆材Ｘ１の上に、盛土材Ｙ１を積層させ、盛土材Ｙ１を圧縮することにより、最終処分場における盛土材Ｙ１の圧密成形状態が再現される。
【００６０】
盛土材Ｙは、図７（ａ）〜（ｃ）に順番に示すように、型枠１内への投入とエアープレス装置１００による衝撃圧縮とが繰り返されることにより、複数層に圧密成形される。このとき、盛土材Ｙの積層状態（積層高さ）に応じて、圧縮具４１０のうち、図７（ａ）〜（ｃ）に順番に示すように、ストローク長い圧縮具４１０Ａからストロークの短い圧縮具４１０Ｂおよび４１０Ｃが適宜選択して用いられる。
【００６１】
なお、盛土材Ｙは、同一のものを用いて圧密成形状態を再現してもよいが、最終処分場での処分状況に合わせて、図６において、盛土材Ｙ１，Ｙ２，Ｙ３の一部を異なる種類の盛土材としてもよい。
【００６２】
例えば、盛土材Ｙ１およびＹ２を、放射性物質や毒性のある焼却灰であるＢ種盛土材とし、盛土材Ｙ３を、放射性物質や毒性のある焼却灰を含まないＡ種盛土材としてもよい。これにより、Ｂ種盛土材をＡ種盛土材で覆う最終処分場での処分状況をテストピースに反映させることができる。
【００６３】
次に、作業者は、圧密成形状態が再現された盛土材Ｙの上に被覆材Ｘ２を投入して、これを圧縮する（図４／ＳＴＥＰ２３・・第３工程）。
【００６４】
かかる第３工程では、図６に模式的に示すように、圧密成形が再現された盛土材Ｙの上に、被覆材Ｘ１と同じ被覆材Ｘ２を投入しこれを圧縮することで、最終処分場において盛土材Ｙをシールドする上部キャッピング層が再現される。なお、ここでも、被覆材Ｘ２の圧縮にはエアープレス装置１００が用いられる。
【００６５】
次に、作業者は、上部キャッピング層が再現された被覆材Ｘ２に天面樹脂材４を被せた上で、上蓋５で固定する（図４／ＳＴＥＰ２４・・第４工程）。
【００６６】
具体的には、図５（ｂ）に示すように、上蓋５を型枠１上に載置し、一対の支持片５３，５３のフック部５４，５４が、型枠１の係合部１５，１５に係合する位置とする。この状態で、ハンドル５１を回転させることで、ねじり棒５０に連結された上蓋５が一対の支持片５３，５３に対して下方に変位し、型枠１上に固定される。
【００６７】
図６に断面図で示すように、上部キャッピング層が再現された被覆材Ｘ２の上部を上蓋５で固定することで、盛土材Ｙ１〜Ｙ３が膨張した場合にも上蓋５によりこれが加圧抑制される。そのため、かかる第４工程によれば、最終処分場において膨張抑制用の重しが設置された状態が再現される。
【００６８】
次に、作業者は、上蓋５を型枠１上に固定させた状態で一定期間養生させた後、上蓋５および型枠１を取り外す（図４／ＳＴＥＰ２５・・後処理工程）。
【００６９】
このとき、型枠１および上蓋５と製造されたテストピースとの間にはいずれも、底面樹脂材２、側面樹脂材３および天面樹脂材４が存在しているため、テストピースが型枠１や上蓋５に固着することがなく、上蓋５および型枠１を容易に取り外すことができる。
【００７０】
かかる後処理工程では、上蓋５を型枠１上に固定させた状態で一定期間養生させることで、最終処分場において膨張抑制用の重しが設置された状態で一定期間養生させた状態を実現することできる。そのため、最終処分場において無機廃棄物を含む盛土材を埋め立てた状態を再現することができる。
【００７１】
以上が、本実施形態のテストピースの製造方法であり、かかるテストピースの製造方法によれば、最終処分場において無機廃棄物を含む盛土材Ｙを埋め立てた状態を再現することができる。
【００７２】
そのため、作業者は、ＳＴＥＰ２５の後処理工程を経て上蓋５および型枠１から取り外されたテストピースを用いて、溶出試験などの各種試験や評価を行うことができる（図４／ＳＴＥＰ３０）。これにより、当該無機廃棄物を受け入れて最終処分場に埋め立てた場合の影響を予め評価することが可能となる。
【００７３】
実際に、本実施形態のテストピースの製造方法により製造されたテストピースを試験・評価した結果、一軸圧縮強度は、２２．０９［ＭＮ／ｍ２］であり、これは、最終処分場において無機廃棄物を含む盛土材Ｙを埋め立てた場合と同等である。ここからも、テストピースが、最終処分場において無機廃棄物を含む盛土材Ｙを埋め立てた状態を再現できていることが確認されている。
【００７４】
さらに、本実施形態のテストピースの製造方法を行う製造システムは、貨物自動車であるトラックの荷台に設置されているため、いずれの場所でも、最終処分場において無機廃棄物を含む盛土材を埋め立てた状態を簡易に再現することができる。
【００７５】
さらに、混練装置２００とエアーコンプレッサー３００とがエアープレス装置１００を中心に左右方向（トラックＴｒの前後方向）に隣接して配置されるため、混練装置２００で混練製造された材料を隣接するエアープレス装置１００の型枠１内に投入し易くすることができる。さらに、エアーコンプレッサー３００を動作させてエアープレス装置１００に作動用のエアーを送る一連の動作が隣接位置で容易に行うことができ、エアープレス装置１００により型枠内に投入された材料を効率よく衝撃圧縮することができる。
【００７６】
加えて、圧縮具４１０，漏斗４２０、材料格納容器４３０などの付帯設備を収納する収納スペース４００がエアープレス装置１００の前後方向（トラックＴｒの左右方向）に作業スペース５００を空けて配置されているため、作業者は、作業スペース５００により混練装置２００から型枠１内への材料の投入およびエアーコンプレッサー３００の駆動作業などの作業動線を同じくすることができる。さらに、これらの作業時に使用される付帯設備も容易に取り出しおよび収納することができる。
【００７７】
このように、本実施形態のテストピースの製造システムによれば、作業性を向上させて、最終処分場において無機廃棄物を含む盛土材を埋め立てた状態を簡易に再現することができる。
【００７８】
なお、本実施形態において、収納スペース４００は、圧縮具４１０、漏斗４２０および材料格納容器４３０などを載置収納する載置台となっているが、これに限定されるものではなく、収納棚や収納庫などであってもよい。
【符号の説明】
【００７９】
１…型枠、１Ａ，１Ｂ…半円筒体、２…底面樹脂材、３…側面樹脂材、４…天面樹脂材、５…上蓋、Ｘ１，Ｘ２…被覆材、Ｙ１，Ｙ２，Ｙ３…盛土材、１００…エアープレス装置、１１０…支持台、２００Ａ，２００Ｂ…混練装置、３００…エアーコンプレッサー、４００…収納スペース、４１０Ａ，４１０Ｂ,４１０Ｃ…圧縮具（付帯設備）、４２０…漏斗（付帯設備）、４３０…材料格納容器（付帯設備）、５００…作業スペース。
【図１】
2014059178.tif 000003
【図２】
2014059178.tif 000004
【図３】
2014059178.tif 000005
【図４】
2014059178.tif 000006
【図５】
2014059178.tif 000007
【図６】
2014059178.tif 000008
【図７】
2014059178.tif 000009